(57)【要約】【課題】  ガードカバー用の閉止機構を簡易なものとすることができ、しかもガードカバーが部外者によって開けられにくくする。【解決手段】  機械本体の外周部に配置された機器類を開閉自在なガードカバー３７で覆い、このガードカバー３７の前面に、小窓カバー４２により開閉されるメンテナンス用の小窓４１を設け、この小窓４１の内側に、外部から操作されてガードカバー３７を閉じ状態にロックし、ロック解除する閉止機構４５を設けた。【選択図】        図４
2005023727.tif 000002
【特許請求の範囲】
【請求項１】
機械本体の外周部に、機器類を覆うカードカバーが開閉可能に取付けられ、このガードカバーに、一部の機器類に対するメンテナンスを行うための小窓と、この小窓を開閉する小窓カバーが設けられるとともに、上記ガードカバーを閉じ状態にロックするガードカバー閉止機構が、外部から上記小窓を介してロック操作及びロック解除操作し得る状態で上記ガードカバー内に設けられたことを特徴とする作業機械。
【請求項２】
外部からのキー操作によって小窓カバーを閉じ状態にロックしかつロック解除する小窓カバー閉止機構が設けられたことを特徴とする請求項１記載の作業機械。
【請求項３】
ガードカバー閉止機構が、小窓の内側縁部に、開いた小窓から見える状態で設けられたことを特徴とする請求項１または２記載の作業機械。
【請求項４】
ガードカバーで覆われる機器類が、メンテナンスの頻度を基準として高頻度メンテナンス機器と低頻度メンテナンス機器とに分けられ、上記高頻度メンテナンス機器が小窓からメンテナンス可能な状態で配置されたことを特徴とする請求項１乃至３のいずれか１項に記載の作業機械。
【請求項５】
高頻度メンテナンス機器として、機械本体に取付けられる作業アタッチメントに応じて油の流れ方向を変えるセレクタバルブと、作業アタッチメント用アクチュエータの操作パターンを変えるマルチコントロールバルブと、作動油タンクのレベルゲージのうち少なくとも一つを含むことを特徴とする請求項４記載の作業機械。
【請求項６】
作動油タンクが小窓に臨んで配置され、この作動油タンクの外壁面に高頻度メンテナンス機器が取付けられたことを特徴とする請求項４または５記載の作業機械。
【発明の詳細な説明】
【技術分野】
【０００１】
本発明は機械本体の外周部に配置された機器類をガードカバーで覆って保護する構成をとる油圧ショベル等の作業機械に関するものである。
【背景技術】
【０００２】
油圧ショベルを例にとって従来の技術を説明する。
【０００３】
油圧ショベルにおいては、図６に示すように、クローラ式の下部走行体１上に上部旋回体２が縦軸まわりに旋回自在に搭載されて機械本体（ベースマシン）３が構成され、この機械本体３の上部旋回体２に作業アタッチメント４が取付けられる。
【０００４】
この作業アタッチメント４は、最も一般的な図示の掘削アタッチメントでは、ブーム５と、アーム６と、バケット７と、これらを作動させる油圧シリンダ８，９，１０、それにアタッチメント全体を左右にスイングさせる図示しないスイングシリンダによって構成される。１１はキャノピである。
【０００５】
なお、バケット７に代えて開閉式の圧砕装置や振動式のブレーカが取付けられて圧砕機や破砕機として使用される場合もある。
【０００６】
図７はこの油圧ショベルの上部旋回体２におけるおおまかな機器配置を示すもので、図６及びこの図７に示すように、上部旋回体２の外周部（たとえば、運転席に座ったオペレータから見て右側部分。以下、この例で図示、説明する）に作動油タンク１２、ラジエータ１３、各油圧アクチュエータの作動を制御する複数のバルブの集合体であるメインコントロールバルブ１４、作業アタッチメント４の種類やオペレータの好みに応じて操作パターン（操作されるレバーと動くアクチュエータの関係）を変えるマルチコントロールバルブ１５、それに作業アタッチメント４の種類（たとえば上記圧砕機と破砕機）に応じて油の流れの方向を変えるセレクタバルブ１６等の機器類が配置され、これがガードカバー１７で覆われる。
【０００７】
図７中、１８は上部旋回体２の後部に搭載されたエンジン、１９はこのエンジン１８によって駆動される油圧ポンプである。
【０００８】
ガードカバー１７は、機械本体３（上部旋回体２）にボルトやヒンジによって着脱式または回動式に開閉可能に取付けられ、このガードカバー１７を開いた状態で同カバー内の機器類のメンテナンス（本来の点検、補修のほかマルチコントロールバルブ１５及びセレクタバルブ１６の切換操作を含む。以下同じ）が行われる。
【０００９】
この場合、ガードカバー１７は大きくて重く、開閉が面倒でかつ開閉に要するスペースも大きいことから、ガードカバー１７に手軽に開閉し得る小窓を設け、日常的なメンテナンスを要する機器類をこの小窓に臨んでガードカバー内に配置する技術が公知である（特許文献１参照）。
【特許文献１】特開平１０−２１９７４１号公報
【発明の開示】
【発明が解決しようとする課題】
【００１０】
油圧ショベルは、作業終了後、現場に放置される場合が多いため、上記機器類が部外者等によって勝手に操作されることのないように、ガードカバー１７にキー開閉式の閉止機構（たとえばカバー側の掛け金をキーにより回転させて機械本体側に掛け止める機構）が設けられている。
【００１１】
また、上記のように小窓を設ける場合には、この小窓を開閉するカバーが必要となり、この小窓カバーにもキー開閉式の閉止機構を用いる必要がある。
【００１２】
つまり、ガードカバー用と小窓カバー用の二種類の閉止機構が必要となる。
【００１３】
ここで、両閉止機構のキーを共用すればキーそのものは一つですむが、両閉止機構について少なくとも安全基準を満たすだけのキーシリンダとロック機構が必要となる。
【００１４】
また、キーシリンダを取付けるためにガードカバー１７にシリンダのキー操作部分を固定する必要があるため、同カバー１７への加工も必要となる。
【００１５】
これらの点で、製造工程上、コスト上、それに機械の美観の点で不利となっていた。
【００１６】
なお、キー開閉式に代えて、カード開閉式やダイヤル錠等の他の閉止機構を用いることもできるが、二種類の独立した閉止機構が必要となる点は同じである。
【００１７】
また、ガードカバーの閉止機構の位置と開閉方法はキー穴等によって外部から一目瞭然であるため、部外者等によりロックが破られるおそれが高かった。
【００１８】
そこで本発明は、ガードカバー用の閉止機構を簡易なものとすることができ、しかもガードカバーが部外者等によって開けられにくい作業機械を提供するものである。
【課題を解決するための手段】
【００１９】
請求項１の発明は、機械本体の外周部に、機器類を覆うカードカバーが開閉可能に取付けられ、このガードカバーに、一部の機器類に対するメンテナンスを行うための小窓と、この小窓を開閉する小窓カバーが設けられるとともに、上記ガードカバーを閉じ状態にロックするガードカバー閉止機構が、外部から上記小窓を介してロック操作及びロック解除操作し得る状態で上記ガードカバー内に設けられたものである。
【００２０】
請求項２の発明は、請求項１の構成において、外部からのキー操作によって小窓カバーを閉じ状態にロックしかつロック解除する小窓カバー閉止機構が設けられたものである。
【００２１】
請求項３の発明は、請求項１または２の構成において、ガードカバー閉止機構が、小窓の内側縁部に、開いた小窓から見える状態で設けられたものである。
【００２２】
請求項４の発明は、請求項１乃至３のいずれか１項の構成において、ガードカバーで覆われる機器類が、メンテナンスの頻度を基準として高頻度メンテナンス機器と低頻度メンテナンス機器とに分けられ、上記高頻度メンテナンス機器が小窓からメンテナンス可能な状態で配置されたものである。
【００２３】
請求項５の発明は、請求項４の構成において、高頻度メンテナンス機器として、機械本体に取付けられる作業アタッチメントに応じて油の流れ方向を変えるセレクタバルブと、作業アタッチメント用アクチュエータの操作パターンを変えるマルチコントロールバルブと、作動油タンクのレベルゲージのうち少なくとも一つを含むものである。
【００２４】
請求項６の発明は、請求項４または５の構成において、作動油タンクが小窓に臨んで配置され、この作動油タンクの外壁面に高頻度メンテナンス機器が取付けられたものである。
【発明の効果】
【００２５】
上記のように本発明によると、ロック／ロック解除操作される閉止機構を備えたガードカバーに、小窓カバーによって開閉される小窓を設け、この小窓の内側にガードカバー用の閉止機構を設けたから、小窓カバーを開いてはじめてガードカバー全体を開くことが可能となる。従って、小窓カバー用の閉止機構について安全基準を満たすもの（請求項２のようにキー開閉式のもの）を用いれば、ガードカバー用の閉止機構については簡易なものを用いることが可能となる。
【００２６】
このため、同閉止機構の構造を簡略化し、製造工程上、コスト上、機械の美観の点で有利となる。
【００２７】
また、ガードカバー用の閉止機構が小窓カバー内に隠れた一種の隠し錠となり、部外者等によって開かれにくいため、内部機器類が勝手に操作されるおそれが低くなる。
【００２８】
この場合、請求項３の発明によると、小窓カバーを開いた状態でガードカバー閉止機構が外部から見え、その在処が一目で分かるため、不慣れな作業者が戸惑う等のおそれがない。
【００２９】
請求項４，５の発明によると、高頻度メンテナンス機器類（請求項５ではセレクタバルブとマルチコントロールバルブと作動油タンクのレベルゲージの少なくとも一つを含む）が小窓からメンテナンス可能な状態で配置されているため、小窓を設けた本来の目的であるメンテナンスの容易性を確保することができる。
【００３０】
また、請求項６の発明によると、作動油タンクを高頻度メンテナンス機器の取付ブラケットとして兼用することにより、専用ブラケットを別に設ける場合と比較してメンテナンスの邪魔になる部材を減らし、小さい小窓からでも高頻度機器類のメンテナンスがし易くなる。
【発明を実施するための最良の形態】
【００３１】
本発明の実施形態を図１〜図５によって説明する。
【００３２】
以下の実施形態では、油圧ショベルを適用対象として例示している。
【００３３】
この実施形態にかかるショベルの基本構成は図６，７に示す従来のショベルと同じである。
【００３４】
すなわち、図１に示すように、クローラ式の下部走行体２１上に上部旋回体２２が縦軸まわりに旋回自在に搭載されて機械本体（ベースマシン）２３が構成され、この機械本体２３に、ブーム２５と、アーム２６と、バケット２７と、これらを作動させる油圧シリンダ２８，２９，３０、それにアタッチメント全体を左右にスイングさせるスイングシリンダ（図示しない）によって構成される作業アタッチメント２４が取付けられる。
【００３５】
この油圧ショベルにおいて、図１，２に示すように、上部旋回体２の外周部（たとえば、図６，７の従来ショベル同様、運転席に座ったオペレータから見て右側部分。以下、この例で図示、説明する）に作動油タンク３２、ラジエータ３３、各油圧アクチュエータの作動を制御するメインコントロールバルブ３４、作業アタッチメント２４の種類やオペレータの好みに応じて操作されるレバーと動くアクチュエータの関係を変えるマルチコントロールバルブ３５、それに作業アタッチメント２４の種類に応じて油の流れの方向を変えるセレクタバルブ３６等の機器類が配置され、これらがガードカバー３７で覆われる。
【００３６】
図２中、３８はエンジン、３９は油圧ポンプである。
【００３７】
ガードカバー３７は、その後端側がヒンジ４０（図２に示す）により上部旋回体２に取付けられて回動式に開閉自在に取付けられ、前端側に設けられたガードカバー閉止機構（後述）によって閉じ状態にロック／ロック解除される。
【００３８】
このガードカバー３７の前部に、図２以降に示すようにたとえば縦長四角形の小窓４１が機械前面側に開口して設けられ、この小窓４１が小窓カバー４２によって開閉される。
【００３９】
この小窓カバー４２は、左右片側がヒンジ４３（図４，５参照）によりガードカバー３７（小窓４１の開口縁部）に取付けられて回動式に開閉自在に取付けられ、この小窓カバー４２を開けて日常的なメンテナンスが行われ、それ以外のメンテナンスはガードカバー３７を開いて行われる。
【００４０】
詳述すると、ガードカバー３７で覆われる機器類が、日常的なメンテナンスを必要とする高頻度メンテナンス機器類と、それ以外の低頻度メンテナンス機器類とに分けられ、高頻度メンテナンス機器類である作動油タンク３２のレベルゲージ３２ａ（図４，５に示す）と、メインコントロールバルブ３４と、マルチコントロールバルブ３５と、セレクタバルブ３６が小窓４１に臨む前部に配置されている。
【００４１】
この配置により、高頻度メンテナンス機器類のメンテナンスを、図４に示すように小窓４１のみを開いた状態で簡単に行うことができる。
【００４２】
また、メインコントロールバルブ３４は作動油タンク３２の側面に、マルチコントロールバルブ３５とセレクタバルブ３６は同タンク３２の前面にそれぞれ取付けられている。
【００４３】
すなわち、作動油タンク３２を高頻度メンテナンス機器の取付ブラケットとして兼用する構成がとられている。こうすれば、各機器類の取付けに個別の専用ブラケットを設ける場合と比較して、メンテナンスの邪魔になる部材が少なくてすむため、小さい小窓４１からでも高頻度機器類のメンテナンスがし易くなる。
【００４４】
一方、低頻度メンテナンス機器類は他の空きスペースに適宜配置され、必要に応じてガードカバー３７全体を開いてメンテナンスが行われる。
【００４５】
小窓カバー４２は、前面にキー穴を備えたキー開閉式の小窓カバー閉止機構４４によって閉じ状態にロックされ、キーの回転操作によりロック解除される。
【００４６】
この小窓カバー閉止機構４４としては、たとえば図示のようにキー操作により舌片錠のレバーを小窓４１の下側縁部内側に係止／離脱させる構成のものや、キー操作によってロッドを出没させて小窓４１の側縁部内側に係止／離脱させる構成のものを用いることができる。
【００４７】
ガードカバー３７を閉じ状態にロックするガードカバー閉止機構４５は、ガードカバー３７における小窓４１の下側縁部に外部から操作し得る状態で設けられた横長リング状の掛け金４６と、この掛け金４６に対応して上部旋回体２２側に設けられた受け金４７とから成り、掛け金４６を受け金４７に引っ掛けて緊張させることにより、ガードカバー３７を閉じ状態にロックし、掛け金４６を弛めて受け金４７から外すことによってロック解除する構成となっている。
【００４８】
なお、このガードカバー閉止機構４５は、人の操作によってロック／ロック解除されるものであればよく、他に閂錠等を用いることができる。
【００４９】
この構成において、高頻度メンテナンス機器類（作動油タンク３２のレベルゲージ３２ａ、メインコントロールバルブ３４、マルチコントロールバルブ３５、セレクタバルブ３６）のメンテナンスは前記のように小窓カバー４２のみを開いて簡単に行うことができる。
【００５０】
一方、ラジエータ３３等の低頻度メンテナンス機器類のメンテナンスを行うときは、まず小窓カバー４２を開く。
【００５１】
この状態で、図４に示すように小窓４１の下側縁部に位置するガードカバー閉止機構４５が外部から見え、かつ操作可能となるため、同機構４４を操作してロックを解いた上で図５に示すようにガードカバー３７全体を開けばよい。
【００５２】
この構成によると、小窓カバー４２を開いてはじめてガードカバー３７全体を開くことが可能となる。従って、小窓カバー閉止機構４４さえ安全性の高いキー式のものを用いれば、ガードカバー閉止機構４５については小窓カバー閉止機構４４ほど厳格さを必要とされないため、同閉止機構４４としてキーを使わない簡易なものを用いることが可能となる。
【００５３】
このため、同閉止機構の構造を簡略化し、製造工程上、コスト上、機械の美観の点で有利となる。
【００５４】
また、ガードカバー閉止機構４５が小窓カバー４２によって隠され、外部から見えないしロック解除操作もできない一種の隠し錠となるため、ガードカバー３７が部外者等によって開かれにくく、内部機器類が勝手に操作されるおそれが低くなる。
【００５５】
他の実施形態
（１）上記実施形態ではガードカバー閉止機構４５を小窓４１の下側縁部に設けたが、上側縁部または左右片側縁部に設けてもよい。
【００５６】
また、同機構４５は、上記実施形態のように小窓カバー４２を開いた状態でその在処が一目で分かる位置に設けるのが望ましいが、逆に、部外者等には分かりにくくする意味で、目立たないが操作は可能な位置に設けてもよい。
【００５７】
（２）小窓４１はガードカバー３７の前面に限らず、側面や背面または上面に設けてもよい。
【００５８】
（３）小窓カバー４２は、上記実施形態のヒンジ開閉式のものに代えてスライド開閉式のもの等を用いてもよいし、小窓カバー閉止機構４３はキー開閉式のものに限らず、カード開閉式やダイヤル錠式のもの等を用いてもよい。
【００５９】
（４）作動油タンク３２のレベルゲージ３２ａ、メインコントロールバルブ３４、マルチコントロールバルブ３５、セレクタバルブ３６に加えて、あるいはこれらのうちのいずれかに代えて、燃料レベルゲージや燃料供給口を高頻度メンテナンス機器類として小窓４１から確認、給油可能な位置に配置してもよい。
【００６０】
（５）本発明は油圧ショベルに限らず、コンクリート塊等を破砕する移動式の破砕機等、他の作業機械にも適用することができる。
【図面の簡単な説明】
【００６１】
【図１】本発明の実施形態を示す油圧ショベル全体の概略側面図である。
【図２】同ショベルの上部旋回体における機器配置を示す平面図である。
【図３】同ショベルのガードカバー部分のみを示す斜視図である。
【図４】ガードカバーの小窓を開いた状態の斜視図である。
【図５】さらにガードカバー全体を開いた状態の斜視図である。
【図６】従来の油圧ショベルを示す概略側面図である。
【図７】同ショベルの上部旋回体における機器配置を示す平面図である。
【符号の説明】
【００６２】
２１  下部走行体
２２  上部旋回体
２３  機械本体
２４  作業アタッチメント
３２  ガードカバーで覆われる機器類としての作動油タンク
３３  同ラジエータ
３４  同メインコントロールバルブ
３５  同マルチコントロールバルブ
３６  同セレクタバルブ
３７  ガードカバー
４１  小窓
４２  小窓カバー
４４  小窓カバーの閉止機構
４５  ガードカバーの閉止機構
【図１】
2005023727.tif 000003
【図２】
2005023727.tif 000004
【図３】
2005023727.tif 000005
【図４】
2005023727.tif 000006
【図５】
2005023727.tif 000007
【図６】
2005023727.tif 000008
【図７】
2005023727.tif 000009
【手続補正書】
【提出日】平成15年7月18日(2003.7.18)
【手続補正１】
【補正対象書類名】特許請求の範囲
【補正対象項目名】請求項１
【補正方法】変更
【補正の内容】
【請求項１】
機械本体の外周部に、機器類を覆うガードカバーが開閉可能に取付けられ、このガードカバーに、一部の機器類に対するメンテナンスを行うための小窓と、この小窓を開閉する小窓カバーが設けられるとともに、上記ガードカバーを閉じ状態にロックするガードカバー閉止機構が、外部から上記小窓を介してロック操作及びロック解除操作し得る状態で上記ガードカバー内に設けられたことを特徴とする作業機械。
【手続補正２】
【補正対象書類名】明細書
【補正対象項目名】００１９
【補正方法】変更
【補正の内容】
【００１９】
請求項１の発明は、機械本体の外周部に、機器類を覆うガードカバーが開閉可能に取付けられ、このガードカバーに、一部の機器類に対するメンテナンスを行うための小窓と、この小窓を開閉する小窓カバーが設けられるとともに、上記ガードカバーを閉じ状態にロックするガードカバー閉止機構が、外部から上記小窓を介してロック操作及びロック解除操作し得る状態で上記ガードカバー内に設けられたものである。